(57)【特許請求の範囲】
【請求項１】
通信相手から、データの再送を要求する旨の再送要求情報を受信した場合に、前記通信相手に対してデータの再送を行なう通信制御装置であって、
前記受信した再送要求情報に基づいて、少なくとも位相系列を含み、データ再送時に使用する無線リソース制御情報を生成する再送無線リソース制御部と、
前記再送無線リソース制御部によって生成された無線リソース制御情報を入力し、無線パラメータに関する制御情報を出力する送信制御部と、
前記送信制御部から出力された制御情報に基づいて、前記通信相手に対し、前記無線リソース制御情報および再送データを送信する無線送信部と、を備え、
前記再送無線リソース制御部は、周波数軸上で、前記送信制御部によって初期送信時に割り当てられた位相系列を構成する周波数スペクトラムから最も離れた位置を検出し、その検出した位置に周波数スペクトラムが形成される位相系列を選択して無線リソース制御情報を生成することを特徴とする通信制御装置。
【請求項２】
通信相手から受信したデータの誤りを検出した場合に、前記通信相手に対してデータの再送を要求する通信制御装置であって、
前記受信したデータに基づいて、少なくとも位相系列を含み、前記通信相手がデータ再送時に使用する無線リソース制御情報を生成する再送無線リソース制御部と、
無線パラメータに関する制御情報を出力する送信制御部と、
前記送信制御部から出力された制御情報に基づいて、前記通信相手に対し、前記生成された無線リソース制御情報およびデータの再送を要求する旨の再送要求情報を送信する無線送信部と、を備え、
前記再送無線リソース制御部は、周波数軸上で、前記送信制御部によって初期送信時に割り当てられた位相系列を構成する周波数スペクトラムから最も離れた位置を検出し、その検出した位置に周波数スペクトラムが形成される位相系列を選択して無線リソース制御情報を生成することを特徴とする通信制御装置。
【請求項３】
前記再送無線リソース制御部は、周波数軸上で、前記送信制御部によって初期送信時に割り当てられた位相系列を構成する周波数スペクトラムのうち、隣接する周波数スペクトラムからの距離の二乗和が最も小さい位置を検出することを特徴とする請求項１または請求項２記載の通信制御装置。
【請求項４】
通信相手から、データの再送を要求する旨の再送要求情報を受信した場合に、前記通信相手に対してデータの再送を行なう通信制御装置であって、
前記受信した再送要求情報に基づいて、少なくとも位相系列を含み、データ再送時に使用する無線リソース制御情報を生成する再送無線リソース制御部と、
前記再送無線リソース制御部によって生成された無線リソース制御情報を入力し、無線パラメータに関する制御情報を出力する送信制御部と、
前記送信制御部から出力された制御情報に基づいて、前記通信相手に対し、前記無線リソース制御情報および再送データを送信する無線送信部と、を備え、
前記再送無線リソース制御部は、再送が２回目以上となる場合、周波数軸上で、前記送信制御部によって初期送信時および前回までの再送時に割り当てられた位相系列を構成する周波数スペクトラムから最も離れた位置を検出し、その検出した位置に周波数スペクトラムが形成される位相系列を選択して無線リソース制御情報を生成することを特徴とする通信制御装置。
【請求項５】
通信相手から受信したデータの誤りを検出した場合に、前記通信相手に対してデータの再送を要求する通信制御装置であって、
前記受信したデータに基づいて、少なくとも位相系列を含み、前記通信相手がデータ再送時に使用する無線リソース制御情報を生成する再送無線リソース制御部と、
無線パラメータに関する制御情報を出力する送信制御部と、
前記送信制御部から出力された制御情報に基づいて、前記通信相手に対し、前記生成された無線リソース制御情報およびデータの再送を要求する旨の再送要求情報を送信する無線送信部と、を備え、
前記再送無線リソース制御部は、再送が２回目以上となる場合、周波数軸上で、前記送信制御部によって初期送信時および前回までの再送時に割り当てられた位相系列を構成する周波数スペクトラムから最も離れた位置を検出し、その検出した位置に周波数スペクトラムが形成される位相系列を選択して無線リソース制御情報を生成することを特徴とする通信制御装置。
【請求項６】
前記再送無線リソース制御部は、周波数軸上で、前記送信制御部によって初期送信時および前回までの再送時に割り当てられた位相系列を構成する周波数スペクトラムからの距離の和が最も大きい位置を特定し、その特定した位置からの距離の二乗和が最も小さい位置を検出することを特徴とする請求項４または請求項５記載の通信制御装置。
【請求項７】
前記送信制御部は、再送が必要となった通信相手に対して優先的に位相系列を割り当てて、その後、通常の送信を行なう通信相手に対して位相系列を割り当てることを特徴とする請求項１から請求項６のいずれかに記載の通信制御装置。
【請求項８】
通信相手から受信したデータの誤りを検出した場合に、前記通信相手に対してデータの再送を要求する通信端末装置であって、
データの再送を要求する旨の再送要求情報と、誤りを生じたデータの少なくとも位相系列を含む再送要求データを生成する再送要求データ生成部と、
前記再送要求データ生成部により生成された再送要求データを請求項１から請求項７のいずれかに記載の通信制御装置へ送信する無線送信部と、を備えることを特徴とする通信端末装置。
【請求項９】
請求項１から請求項７のいずれかに記載の通信制御装置を備えることを特徴とする基地局装置。
【請求項１０】
請求項８記載の通信端末装置を備えることを特徴とする移動局装置。
【請求項１１】
請求項９記載の基地局装置と、請求項１０記載の移動局装置とから構成されることを特徴とする無線通信システム。
【発明の詳細な説明】
【技術分野】
【０００１】
本発明は、通信相手からデータの再送を要求する旨の再送要求データを受信した場合に、前記通信相手に対してデータの再送を行なう通信制御装置、および通信相手から受信したデータの誤りを検出した場合に、前記通信相手に対してデータの再送を要求する通信端末装置に関する。
【背景技術】
【０００２】
近年、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）の次世代の無線通信システムの研究開発が進められている。例えば、特許文献１（特開２００４−２９７７５６号公報）で提案されているように、有力候補の一つとしてＩＦＤＭＡの原理をＤＳ−ＣＤＭＡに適用した無線通信システムがある（以下、「無線通信システムＡ」と呼称する）。この無線通信システムＡは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やマルチキャリアＣＤＭＡ等のように、多数のサブキャリアを用いる無線通信システムと比較して、ピーク電力対平均電力比を低く抑えることができ、アップリンクにおけるキャリア当たりのパイロットチャネルの電力が大きく、また、マルチセル環境において隣接セルからの干渉を低減できるなどの利点を有するＤＳ−ＣＤＭＡを基にしている。
【０００３】
無線通信システムＡは、シンボル繰り返しを行ない、移動局固有の位相系列を乗算することにより各移動局からの信号を周波数軸上で相互に重なり合わない様に配置するＩＦＤＭＡの原理を適用している。具体的には、繰り返し単位をシンボル単位ではなくチップ単位で行なっている。無線通信システムＡは、ＤＳ−ＣＤＭＡにＩＦＤＭＡを適用することにより高い周波数利用効率を維持しつつ、マルチセル環境に適した無線通信システムを実現している。
【０００４】
図２２は、無線通信システムＡの送信部の概略構成を示すブロック図である。この送信部２００において、送信制御部２０１は、送信部２００の各ブロックのパラメータを制御しており、各ブロックに設定したパラメータに関する制御情報を出力している。チャネル符号化部２０２は、送信制御部２０１から入力された符号化率で上位レイヤから送られてきたデータ信号に対してチャネル符号化を行なう。変調部２０３は、送信制御部２０１から入力された変調方式でチャネル符号化データ信号に対して変調を行なう。拡散部２０４は、送信制御部２０１から入力された拡散符号で変調データ信号に対して乗算を行ない、拡散を行なう。チップ繰り返し部２０５は、送信制御部２０１から入力されたチップ長（Ｑチップ）で拡散データ信号に対して並び替えを行ない、同様に送信制御部２０１から入力された繰り返し回数（ＣＲＦ回数）でＱチップを周期として繰り返しを行なう。位相乗算部２０６は、送信制御部２０１から入力された位相系列でチップ繰り返しデータ信号に対して位相系列の乗算を行なう。無線部２０７は、位相乗算部２０６から入力されたデータ信号を無線信号に変換して、送受信アンテナ２０８を介してデータ信号の送信を行なう。
【０００５】
図２３は、無線通信システムＡの主要動作を示す図である。変調データシンボル系列は、拡散率ＳＦの拡散符号による拡散後、チップ繰り返しを行なうためＱチップ毎にブロック化される。次に、Ｑチップの各チップ長を圧縮し、Ｑチップ毎にＣＲＦ回繰り返すことにより、チップ繰り返しを適用した系列を生成する。
【０００６】
図２４は、送信信号が形成する周波数スペクトラムの一例を示す図である。前記生成された系列はＱチップを周期として一定のチップパターンが現れるため、周波数スペクトラムは限られた成分のみが存在し、図２４に示すくしの歯状の周波数スペクトラムが生成される。ここで、くしの歯の数はＱ本、くしの歯とくしの歯の間隔は（ＣＲＦ−１）となる。なお、図２４では、ＣＲＦ＝３の場合を示している。さらに、セル内の同時アクセス移動局間で、直交するくしの歯状の周波数スペクトルを割り当てるため、移動局毎に異なる固有の位相系列を乗算する。図２４に示すように、移動局Ａと移動局Ｂで異なる位相系列をチップ繰り返し後の系列に乗算することにより、移動局Ａと移動局Ｂ間の周波数領域での直交化を実現することができる。
【０００７】
また、Ｑチップ長のブロックをＣＲＦ回繰り返す際に、（Ｑ×ＣＲＦ）の値を一定に保ちつつ、ＱとＣＲＦの配分を変更して、可変レート伝送を実現する方法が提案されている（例えば、非特許文献１）。
【０００８】
図２５は、Ｑ×ＣＲＦを一定に保ちつつ、ＱとＣＲＦの配分を変更した場合の周波数スペクトラムの変化を示す図である。図２５に示すように、ＱとＣＲＦに応じて形成される周波数スペクトラムが変化する、つまり伝送レートが変化する様子がわかる。
【０００９】
図２６は、無線通信システムＡの受信部の概略構成を示すブロック図である。受信部２４０において、受信制御部２４１は、受信部２４０の各ブロックのパラメータを制御しており、各ブロックに設定したパラメータ、言い換えれば送信部２００で用いたパラメータに関する制御情報を出力している。無線部２４２は、送受信アンテナ２０８を介してデータ信号の受信を行ない、アナログ無線信号をデジタルベースバンド信号に変換する。位相乗算部２４３は、受信制御部２４１から入力された位相系列でデジタルベースバンド信号に対して位相系列の乗算を行ない、送信部２００において乗算されたデータ信号の位相を再び元の位相に戻す。
【００１０】
チップ繰り返し合成部２４４は、受信制御部２４１から入力された繰り返し回数とチップ長で位相乗算部２４３から入力されたチップ繰り返しが施されたデータ信号に対して再合成を行なう。逆拡散部２４５は、受信制御部２４１から入力された拡散符号でチップ繰り返し合成されたデータ信号に対して乗算を行ない、逆拡散を行なう。復調部２４６は、受信制御部２４１から入力された変調方式で逆拡散データ信号に対して復調を行なう。チャネル復号部２４７は、受信制御部２４１から入力された符号化率で復調データ信号に対してチャネル復号を行なう。チャネル復号化された２値のデータ信号は上位レイヤに送られる。
【００１１】
また、劣悪な伝搬路環境では受信データ信号に誤りが生じるため、良好な通信を実現する一技術として、同一の情報からなる送信データ信号の再送を行なう無線通信システムがある。再送の方法としては、主に時間ダイバーシチ効果を狙った方法として、送信側が受信側において誤りが生じた送信データ信号と同様の送信データ信号を送信し、受信側が誤った受信データ信号は廃棄し、再送されたデータ信号の復調を行なう方法（例えば、非特許文献２）、時間ダイバーシチ効果に加えて更にＳＮＲ（Ｓｉｇｎａｌ  ｔｏ  Ｎｏｉｓｅ  Ｒａｔｉｏ）の増大を図った方法として、送信側が受信側において誤りが生じた送信データ信号と同様の送信データ信号を送信し、受信側が誤った受信データ信号と再送されたデータ信号を合成して復調を行なう方法（Ｃｈａｓｅ  ｃｏｍｂｉｎｉｎｇ法）（例えば、非特許文献３）、時間ダイバーシチ効果に加えて更に符号化利得の向上を図った方法として、送信側が受信側において誤りが生じた送信データ信号と異なる消去規則によるパンクチャド符号を用いて生成した送信データ信号を送信し、受信側が誤った受信データ信号と再送されたデータ信号を併せて復号を行なう方法（Ｉｎｃｒｅｍｅｎｔａｌ  Ｒｅｄｕｎｄａｎｃｙ法）（例えば、非特許文献４）等が、従来から提案され、用いられている。
【特許文献１】特開２００４−２９７７５６号公報
【非特許文献１】２００４年電子情報通信学会通信ソサイエティ大会  Ｂ−５−４０「上りリンク可変拡散率・チップ繰り返しファクタ（ＶＳＣＲＦ）−ＣＤＭＡブロードバンド無線アクセスにおける可変レート伝送法」
【非特許文献２】“Ａｕｔｏｍａｔｉｃ  ｒｅｐｅａｔ  ｒｅｑｕｅｓｔ  ｅｒｒｏｒ  ｃｏｎｔｒｏｌ  ｓｃｈｅｍｅｓ”  Ｓ．Ｌｉｎ，Ｄ．Ｊ．Ｃｏｓｔｅｌｌｏ，ａｎｄ  Ｍ．Ｊ．Ｍｉｌｌｅｒ，ＩＥＥＥ  Ｔｒａｎｓ．Ｃｏｍｍｕｎ．Ｍａｇ．，ｖｏｌ．２２，ＰＰ．５−１７，Ｄｅｃ．１９８４
【非特許文献３】“Ａ  Ｄｉｖｅｒｓｉｔｙ  Ｃｏｍｂｉｎｉｎｇ  ＤＳ／ＣＤＭＡ  ｓｙｓｔｅｍ  ｗｉｔｈ  ｃｏｎｖｏｌｕｔｉｏｎａｌ  ｅｎｃｏｄｉｎｇ  ａｎｄ  Ｖｉｔｅｒｂｉ  ｄｅｃｏｄｉｎｇ”  Ｓ．Ｓｏｕｉｓｓｉ  ａｎｄ  Ｓ．Ｗｉｃｋｅｒ，ＩＥＥＥ  Ｔｒａｎｓ．Ｖｅｈ．Ｔｅｃｈｏｌ．，ｖｏｌ．４４，Ｎｏ．２，ＰＰ．３０４−３１２，Ｍａｙ  １９９５
【非特許文献４】“Ｒａｔｅ−ｃｏｍｐａｔｉｂｌｅ  ｐｕｎｃｔｕｒｅｄ  ｃｏｎｖｏｌｕｔｉｏｎａｌ  ｃｏｄｅｓ  ａｎｄ  ｔｈｅｉｒ  ａｐｐｌｉｃａｔｉｏｎｓ”  Ｊ．Ｈａｇｅｎａｕｅｒ，ＩＥＥＥ  Ｔｒａｎｓ．Ｃｏｍｍｕｎ．，ｖｏｌ．３６，ＰＰ．３８９−４００，Ａｐｒｉｌ  １９８８
【発明の開示】
【発明が解決しようとする課題】
【００１２】
しかしながら、伝搬路環境の時間的変化が非常に緩やかな場合、初期送信時と再送時で伝搬路環境がほぼ同様で再送時においても伝搬路環境が非常に劣悪な状況が存在する。そのような状況下では、Ｃｈａｓｅ  ｃｏｍｂｉｎｉｎｇ法やＩｎｃｒｅｍｅｎｔａｌ  Ｒｅｄｕｎｄａｎｃｙ法を用いたとしても、非常に少ない再送回数では誤りの改善度合いが小さく、非常に多い再送回数では誤りの改善度合いは大きいが再送遅延の増大によりスループットの低下を招いてしまう。
【００１３】
なお、伝送遅延、処理遅延などから、初期送信時と再送時には間隔があくため、その間隔の間に基地局装置が接続移動局数の増加や要求伝送速度の増加などから、移動局装置に初期送信時とは異なる無線リソースを移動局装置に割り当ててしまうと、基地局装置は上記再送方法に適切な無線リソースを判断する、割り当てることができない。そのため、移動局装置から初期送信時の無線リソースに関する情報を再送要求と同様に通知するか、基地局装置において再送要求があったデータ信号の無線リソースに関する情報を一定区間、記憶保持しておく必要がある。
【００１４】
本発明は、このような事情に鑑みてなされたものであり、再送を行なう無線通信システムにおいて、再送時に異なる位相系列を用いて異なる周波数スペクトラムを形成することにより、再送による誤りの改善度合いを更に向上して良好な通信を実現することができる通信制御装置および通信端末装置を提供することを目的とする。
【課題を解決するための手段】
【００１５】
（１）上記の目的を達成するために、本発明は、以下のような手段を講じた。すなわち、本発明に係る通信制御装置は、通信相手から、データの再送を要求する旨の再送要求情報と、誤りを生じたデータの変調方式、符号化率、チップパターン、繰り返し回数、および位相系列とを含む再送要求データを受信した場合に、前記通信相手に対してデータの再送を行なう通信制御装置であって、前記受信した再送要求データに基づいて、変調方式、符号化率、チップパターン、繰り返し回数、および位相系列を含み、データ再送時に使用する再送無線リソース制御情報を生成する再送無線リソース制御部と、前記再送無線リソース制御部によって生成された再送無線リソース制御情報を入力し、無線パラメータに関する制御情報を出力する送信制御部と、前記送信制御部から出力された制御情報に基づいて、前記通信相手に対し、前記再送無線リソース制御情報および再送データを送信する無線送信部と、を備えることを特徴としている。
【００１６】
このように、通信相手から、データの再送を要求する旨の再送要求情報と、誤りを生じたデータの変調方式、符号化率、チップパターン、繰り返し回数、および位相系列とを含む再送要求データを受信した場合、その再送要求データに基づいて、変調方式、符号化率、チップパターン、繰り返し回数、および位相系列を含み、データ再送時に使用する再送無線リソース制御情報を生成し、その再生無線リソース制御情報および再送データを通信相手に送信するので、再生処理に適切な無線リソースを割り当てることができる。その結果、再送による誤りの改善度合いを向上し、良好な通信を実現することができる。
【００１７】
（２）また、本発明に係る通信制御装置は、通信相手から受信したデータの誤りを検出した場合に、前記通信相手に対してデータの再送を要求する通信制御装置であって、前記受信したデータに基づいて、変調方式、符号化率、チップパターン、繰り返し回数、および位相系列を含み、前記通信相手がデータ再送時に使用する再送無線リソース制御情報を生成する再送無線リソース制御部と、無線パラメータに関する制御情報を出力する送信制御部と、前記送信制御部から出力された制御情報に基づいて、前記通信相手に対し、前記生成された再送無線リソース制御情報およびデータの再送を要求する旨の再送要求情報を送信する無線送信部と、を備えることを特徴としている。
【００１８】
このように、通信相手から受信したデータの誤りを検出した場合、その受信したデータに基づいて、変調方式、符号化率、チップパターン、繰り返し回数、および位相系列を含み、通信相手がデータ再送時に使用する再送無線リソース制御情報を生成し、その再生無線リソース制御情報および再送要求情報を通信相手に送信するので、再生処理に適切な無線リソースを割り当てることができる。その結果、再送による誤りの改善度合いを向上し、良好な通信を実現することができる。
【００１９】
（３）また、本発明に係る通信制御装置において、前記再送無線リソース制御部は、前記送信制御部によって初期送信時に割り当てられた位相系列とは異なる位相系列を選択して再送無線リソース制御情報を生成することを特徴としている。
【００２０】
このように、初期送信時に割り当てられた位相系列とは異なる位相系列を選択して再送無線リソース制御情報を生成するので、周波数ダイバーシチ効果が得られ、再送時の誤り率の向上を図ることが可能となる。
【００２１】
（４）また、本発明に係る通信制御装置において、前記再送無線リソース制御部は、周波数軸上で、前記送信制御部によって初期送信時に割り当てられた位相系列を構成する周波数スペクトラムから最も離れた位置を検出し、その検出した位置に周波数スペクトラムが形成される位相系列を選択して再送無線リソース制御情報を生成することを特徴としている。
【００２２】
このように、送信制御部によって初期送信時に割り当てられた位相系列を構成する周波数スペクトラムから最も離れた位置に周波数スペクトラムが形成される位相系列を選択して再送無線リソース制御情報を生成するので、初期送信時と再送時における周波数スペクトラム間の相関を低くすることが可能となり、周波数ダイバーシチ効果をさらに向上させることが可能となる。
【００２３】
（５）また、本発明に係る通信制御装置において、前記再送無線リソース制御部は、周波数軸上で、前記送信制御部によって初期送信時に割り当てられた位相系列を構成する周波数スペクトラムのうち、隣接する周波数スペクトラムからの距離の二乗和が最も小さい位置を検出することを特徴としている。
【００２４】
このように、隣接する周波数スペクトラムからの距離の二乗和が最も小さい位置を検出するので、送信制御部によって初期送信時に割り当てられた位相系列を構成する周波数スペクトラムから最も離れた位置を、簡易かつ確実に検出することが可能となる。
【００２５】
（６）また、本発明に係る通信制御装置において、前記再送無線リソース制御部は、再送が２回目以上となる場合、前記送信制御部によって初期送信時および前回までの再送時に割り当てられた位相系列とは異なる位相系列を選択して再送無線リソース制御情報を生成することを特徴としている。
【００２６】
このように、再送が２回目以上となる場合、送信制御部によって初期送信時および前回までの再送時に割り当てられた位相系列とは異なる位相系列を選択して再送無線リソース制御情報を生成するので、複数回再送を行なう場合においても、周波数ダイバーシチ効果を得ることができ、再送時の誤り率の向上を図ることが可能となる。
【００２７】
（７）また、本発明に係る通信制御装置において、前記再送無線リソース制御部は、再送が２回目以上となる場合、周波数軸上で、前記送信制御部によって初期送信時および前回までの再送時に割り当てられた位相系列を構成する周波数スペクトラムから最も離れた位置を検出し、その検出した位置に周波数スペクトラムが形成される位相系列を選択して再送無線リソース制御情報を生成することを特徴としている。
【００２８】
このように、再送が２回目以上となる場合、周波数軸上で、送信制御部によって初期送信時および前回までの再送時に割り当てられた位相系列を構成する周波数スペクトラムから最も離れた位置に周波数スペクトラムが形成される位相系列を選択して再送無線リソース制御情報を生成するので、送信完了となったとき、すなわち、誤りがなくなったとき、または最大再送回数に到達したときまでに形成される周波数スペクトラム間の相関を低くすることができ、周波数ダイバーシチ効果を更に向上させることが可能となる。
【００２９】
（８）また、本発明に係る通信制御装置において、前記再送無線リソース制御部は、周波数軸上で、前記送信制御部によって初期送信時および前回までの再送時に割り当てられた位相系列を構成する周波数スペクトラムからの距離の和が最も大きい位置を特定し、その特定した位置からの距離の二乗和が最も小さい位置を検出することを特徴としている。
【００３０】
このように、初期送信時および前回までの再送時に割り当てられた位相系列を構成する周波数スペクトラムからの距離の和が最も大きい位置を特定し、その特定した位置からの距離の二乗和が最も小さい位置を検出するので、送信制御部によって初期送信時および前回までの再送時に割り当てられた位相系列を構成する周波数スペクトラムから最も離れた位置を、簡易かつ確実に検出することが可能となる。
【００３１】
（９）また、本発明に係る通信制御装置において、前記再送無線リソース制御部は、初期送信時に使用された変調多値数、符号化率、および繰り返し回数よりも小さい値の変調多値数、符号化率、および繰り返し回数を選択すると共に、初期送信時に使用されたチップ長よりも大きい値のチップ長を選択して再送無線リソース制御情報を生成することを特徴としている。
【００３２】
このように、再送時に、初期送信時に使用された変調多値数、符号化率、および繰り返し回数よりも小さい値の変調多値数、符号化率、および繰り返し回数を選択すると共に、初期送信時に使用されたチップ長よりも大きい値のチップ長を選択して再送無線リソース制御情報を生成するので、使用する周波数スペクトラムを拡張し、伝送速度を維持しつつ、誤り率を改善し、データの通信完了時間を短縮して良好な通信を実現することが可能となる。
【００３３】
（１０）また、本発明に係る通信制御装置において、前記再送無線リソース制御部は、通信相手から受信したデータに基づいて再送時の受信状況が劣化する推定がなされた場合、初期送信時に使用された変調多値数、符号化率、および繰り返し回数よりも小さい値の変調多値数、符号化率、および繰り返し回数を選択すると共に、初期送信時に使用されたチップ長よりも大きい値のチップ長を選択して再送無線リソース制御情報を生成することを特徴としている。
【００３４】
このように、再送時の受信状況が劣化すると推定された場合、初期送信時に使用された変調多値数、符号化率、および繰り返し回数よりも小さい値の変調多値数、符号化率、および繰り返し回数を選択すると共に、初期送信時に使用されたチップ長よりも大きい値のチップ長を選択して再送無線リソース制御情報を生成するので、周波数スペクトラムの拡張を適切に制御し、スループットの低下を回避することが可能となる。なお、再送時の受信状況を推定するためには、ダウンリンクの場合は、通信相手が受信状況を測定する機能（例えば、受信状況測定部を備える）を有しており、測定結果を本通信制御装置へ送信することとなる。また、アップリンクの場合は、本通信制御装置が受信状況を測定する機能（例えば、受信状況測定部を備える）を有することとなる。
【００３５】
（１１）また、本発明に係る通信制御装置において、前記送信制御部は、再送が必要となった通信相手に対して優先的に位相系列を割り当てて、その後、通常の送信を行なう通信相手に対して位相系列を割り当てることを特徴としている。
【００３６】
このように、再送が必要となった通信相手に対して優先的に位相系列を割り当てて、その後、通常の送信を行なう通信相手に対して位相系列を割り当てるので、再送が必要となった通信相手に対して所望の位相系列を割り当てやすくすることができる。
【００３７】
（１２）また、本発明に係る通信端末装置は、通信相手から受信したデータの誤りを検出した場合に、前記通信相手に対してデータの再送を要求する通信端末装置であって、データの再送を要求する旨の再送要求情報と、誤りを生じたデータの変調方式情報、符号化率、チップパターン、繰り返し回数、および位相系列とを含む再送要求データを生成する再送要求データ生成部と、前記再送要求データ生成部により生成された再送要求データを請求項１、請求項３から請求項１１のいずれかに記載の通信制御装置へ送信する無線送信部と、を備えることを特徴としている。
【００３８】
このように、再送要求データを上記のいずれかに記載の通信制御装置へ送信するので、再送要求データを受信した通信制御装置は、上記の再送制御を行なうことが可能となる。
【００３９】
（１３）また、本発明に係る通信端末装置は、通信相手から受信したデータの誤りを検出した場合に、前記通信相手に対してデータの再送を要求する通信端末装置であって、データの再送を要求する旨の再送要求情報と、誤りを生じたデータの変調方式情報、符号化率、チップパターン、繰り返し回数、および位相系列とを含む再送要求データを生成する再送要求データ生成部と、通信相手先から受信したデータに基づいて、再送時の受信状況を推定する受信状況推定部と、前記再送要求データ生成部により生成された再送要求データおよび前記受信状況推定部により推定された再送時の受信状況を請求項１０記載の通信制御装置へ送信することを特徴としている。
【００４０】
このように、再送要求データおよび受信状況推定部により推定された再送時の受信状況を上記の通信制御装置へ送信するので、再送要求データおよび上記推定された再送時の受信状況を受信した通信制御装置は、上記の再送制御を行なうことが可能となる。
【００４１】
（１４）また、本発明に係る基地局装置は、請求項１から請求項１１のいずれかに記載の通信制御装置を備えることを特徴としている。
【００４２】
本発明に係る基地局装置によれば、データ再送時に使用する再送無線リソース制御情報を生成し、その再送無線リソース制御情報および再送データを通信相手に送信するので、再送処理に適切な無線リソースを割り当てることができる。
【００４３】
（１５）また、本発明に係る移動局装置は、請求項１２または請求項１３記載の通信端末装置を備えることを特徴としている。
【００４４】
本発明に係る移動局装置によれば、再送要求データを上記の通信制御装置を備える基地局装置へ送信するので、再送要求データを受信した基地局装置は、上記の再送制御を行なうことが可能となる。
【００４５】
（１６）また、本発明に係る無線通信システムは、請求項１４記載の基地局装置と、請求項１５記載の移動局装置とから構成されることを特徴としている。
【００４６】
本発明に係る無線通信システムによれば、基地局装置において、データ再送時に使用する再送無線リソース制御情報を生成し、その再送無線リソース制御情報および再送データを移動局装置に送信するので、再送処理に適切な無線リソースを割り当てることができる。
【発明の効果】
【００４７】
本発明によれば、通信相手からデータの再送を要求する旨の再送要求データを受信した場合、その再送要求データに基づいて、データ再送時に使用する再送無線リソース制御情報を生成し、その再送無線リソース制御情報および再送データを通信相手に送信するので、再送処理に適切な無線リソースを割り当てることができる。その結果、再送による誤りの改善度合いを向上し、良好な通信を実現することができる。特に、ＩＦＤＭＡによる通信システムに適用する場合において顕著な効果を奏する。
【発明を実施するための最良の形態】
【００４８】
次に、本発明の実施形態について、図面を参照しながら説明する。ここでは、本発明に係る通信制御装置を基地局装置に適用し、また、本発明に係る通信端末装置を移動局装置に適用した例を説明する。なお、以下に説明する実施形態は、本発明の一例に過ぎず、これらに限定されるものではない。
【００４９】
（第１の実施形態）
第１の実施形態に係る基地局装置は、ダウンリンクにおいては、移動局装置から再送要求情報、変調方式、符号化率、チップパターン、繰り返し回数、位相系列からなる再送要求データが通知され、通知された再送要求データを基に、移動局装置への再送を制御する。これにより、基地局装置は移動局装置に再送処理に適切な無線リソースを割り当てることができる。
【００５０】
図１は、本発明の第１の実施形態に係る基地局装置の概略構成を示すブロック図であり、ダウンリンクでの再送を行なう場合に使用するブロックを表わした図である。この基地局装置１は、送信部２、受信部３、再送無線リソース制御部４および送受信アンテナ５から構成されている。また、送信部２は、送信制御部７、チャネル符号化部８、変調部９、拡散部１０、チップ繰り返し部１１、位相乗算部１２、および無線部１３から構成されている。
【００５１】
再送無線リソース制御部４は、移動局装置から通知された再送要求データに基づいて、使用する再送方法に応じて適切な変調方式、符号化率、チップパターン、繰り返し回数、位相系列を選択し、選択した再送無線リソース制御情報を送信制御部７に出力する。
【００５２】
送信制御部７は、送信部２の各ブロックのパラメータを制御しており、移動局装置への再送に関しては再送無線リソース制御部４から入力された再送無線リソース制御情報に基づいて、各ブロックに設定した再送パラメータに関する制御情報を出力する。
【００５３】
チャネル符号化部８は、送信制御部７から入力された符号化率で再送データ信号に対してチャネル符号化を行なう。変調部９は、送信制御部７から入力された変調方式でチャネル符号化再送データ信号に対して変調を行なう。拡散部１０は、送信制御部７から入力された拡散符号で変調再送データ信号に対して乗算を行ない、拡散を行なう。チップ繰り返し部１１は、送信制御部７から入力されたチップ長（Ｑチップ）で拡散再送データ信号に対して並び替えを行ない、同様に送信制御部７から入力された繰り返し回数（ＣＲＦ回数）でＱチップを周期として繰り返しを行なう。
【００５４】
位相乗算部１２は、送信制御部７から入力された位相系列でチップ繰り返し再送データ信号に対して位相系列の乗算を行なう。無線部１３は、位相乗算部１２から入力された再送データ信号を無線信号に変換して、送受信アンテナ５を介してデータ信号の再送を行なう。
【００５５】
受信部３は、移動局装置から送信された信号の受信を行ない、再送要求データ信号を受信した場合、その再送要求データを再送無線リソース制御部４に出力する。
【００５６】
なお、一定期間、例えば、移動局装置よりＡＣＫ信号（受信完了通知）が通知されるまで、移動局装置に割り当てた無線リソース情報を再送無線リソース制御部でデータ信号毎にナンバリングして記憶保持しておく構成としてもよい。その場合、移動局装置からは再送要求情報のみが通知される。
【００５７】
また、チャネル符号化部８、変調部９、拡散部１０、チップ繰り返し部１１、位相乗算部１２および無線部１３は、無線送信部を構成する。
【００５８】
図２は、本発明の第１の実施形態に係る基地局装置の概略構成を示すブロック図であり、アップリンクでの再送を行なう場合に使用するブロックを表わした図である。第１の実施形態に係る基地局装置は、アップリンクにおいては、移動局装置から受信したデータが誤っていた場合、直接誤り結果を再送無線リソース制御部４に出力し、再送無線リソース制御情報と共に再送要求情報を移動局装置に通知する。
【００５９】
受信部３において、受信制御部１５は、受信部３の各ブロックのパラメータを制御しており、各ブロックに設定したパラメータ、言い換えれば送信部２で用いたパラメータに関する制御情報を出力している。
【００６０】
無線部１６は、送受信アンテナ５を介してデータ信号の受信を行ない、アナログ無線信号をデジタルベースバンド信号に変換する。位相乗算部１７は、受信制御部１５から入力された位相系列でデジタルベースバンド信号に対して位相系列の乗算を行ない、送信部２において乗算されたデータ信号の位相を再び元の位相に戻す。チップ繰り返し合成部１８は、受信制御部１５から入力された繰り返し回数とチップ長で位相乗算部１７から入力されたチップ繰り返しが施されたデータ信号に対して再合成を行なう。
【００６１】
逆拡散部１９は、受信制御部１５から入力された拡散符号でチップ繰り返し合成されたデータ信号に対して乗算を行ない、逆拡散を行なう。復調部２０は、受信制御部１５から入力された変調方式で逆拡散データ信号に対して復調を行なう。チャネル復号部２２は、受信制御部１５から入力された符号化率で復調データ信号に対してチャネル復号を行なう。
【００６２】
また、再送が行われる場合に、誤ったデータ信号と再送信号の合成を行なうために、復調部２０は復調したデータ信号をパケット合成部２１に出力する。なお、Ｃｈａｓｅ  ｃｏｍｂｉｎｉｎｇ法では、デマッピング前のシンボル系列で合成を行なう方法とデマッピング後のビット系列で合成を行なう方法があるため、用いる方法に応じて復調したデータ信号をパケット合成部２１に出力する。Ｉｎｃｒｅｍｅｎｔａｌ  Ｒｅｄｕｎｄａｎｃｙ法では、デマッピング後のビット系列をパケット合成部２１に出力する。
【００６３】
パケット合成方法としてＩｎｃｒｅｍｅｎｔａｌ  Ｒｅｄａｎｄｕｎｃｙ法を用いた場合や、符号化率を変更して再送データ信号が再送された場合には、誤ったデータ信号とは異なるパラメータがチャネル復号部２２に入力され、そのパラメータに応じたチャネル復号を行なう。
【００６４】
誤り検出部２３は、チャネル復号部２２から入力された２値のデータ信号に対して誤りの検出を行ない、その結果をパケット合成部２１、再送無線リソース制御部４および送信部２に出力する。ここで、誤りが検出されなかった場合は、２値のデータ信号を上位レイヤに送り、誤りが検出された場合はチャネル復号化された２値のデータ信号は廃棄する。なお、再送回数の上限に達した場合には、誤りが検出された場合でも２値のデータ信号を上位レイヤに送る。
【００６５】
パケット合成部２１は、復調部２０から入力されたデータ信号を一時格納し、再送データ信号と合成を行った後、合成したデータ信号をチャネル復号部２２に出力する。Ｃｈａｓｅ  ｃｏｍｂｉｎｉｎｇ法では、パケット合成部２１は推定した伝搬路変動値の係数を用いてデータ信号を重み付け合成（最大比合成）し、シンボル系列で合成を行った場合はデマッピングをしてビット系列に変換した後にチャネル復号部２２に出力し、ビット系列で合成を行った場合は重み付けしたデータ信号をそのままチャネル復号部２２に出力する。Ｉｎｃｒｅｍｅｎｔａｌ  Ｒｅｄｕｎｄａｎｃｙ法では、パケット合成部２１は一時格納した誤ったデータ信号と再送データ信号を併せて並び替えを行なって調整したデータ信号をチャネル復号部２２に出力する。ここで、パケット合成部２１は、誤り検出部２３から誤りが検出されなかったことを通知された場合、該当する一時格納したデータ信号を廃棄する。
【００６６】
再送無線リソース制御部４は、誤り検出部２３から入力された誤り検出結果に基づいて、使用する再送方法に応じて適切な変調方式、符号化率、チップパターン、繰り返し回数、位相系列を選択し、選択した再送無線リソース制御情報を送信部２に出力する。
【００６７】
送信部２は、誤り検出部２３から、誤りが検出されたことを通知された場合、誤りが検出されたデータ信号の受信処理に用いた変調方式、符号化率、チップパターン、繰り返し回数、位相系列と再送要求情報（ＮＡＣＫ）からなる再送要求データを生成し、その再送要求データと共に、再送無線リソース制御部４から入力された再送無線リソース制御情報を移動局装置に送信する。また、送信部は、誤り検出部から、誤りが検出されなかったことを通知された場合、受信完了情報（ＡＣＫ）を移動局装置に送信する。
【００６８】
上記のように、ダウンリンクでの再送を行なう場合、移動局装置から受信した再送要求データに基づいて、データ再送時に使用する再送無線リソース制御情報を生成し、その再送無線リソース制御情報および再送データを移動局装置に送信するので、再送処理に適切な無線リソースを割り当てることができる。また、アップリンクでの再送を行なう場合、移動局装置から受信した誤ったデータに基づいて、移動局装置がデータ再送時に使用する再送無線リソース制御情報を生成し、その再送無線リソース制御情報および再送要求情報を移動局装置に送信するので、再送処理に適切な無線リソースを割り当てることができる。
【００６９】
（第２の実施形態）
第２の実施形態に係る基地局装置は、再送時には初期送信時と異なる位相系列を移動局装置に割り当てて、再送を行なう。これにより、更に周波数ダイバーシチ効果を得て、再送の誤り率向上を図ることができる。
【００７０】
第２の実施形態に係る基地局装置の送信部の構成は、図１および図２に示す第１の実施形態と同様である。また、第２の実施形態は、ダウンリンクおよびアップリンク双方に適用することが可能である。ここでは、ダウンリンクでの再送を例にとって説明する。
【００７１】
再送無線リソース制御部４は、初期送信時に割り当てられた位相系列とは異なる位相系列を選択し、再送無線リソース制御情報を送信制御部７に出力する。
【００７２】
図３は、第２の実施形態に係る基地局装置の送信信号が形成する周波数スペクトラムの一例を示す図である。図３に示すように、一定周期で形成される周波数スペクトラムを初期送信時と再送時で異なるものにすることにより、トータルで広い周波数スペクトラムを用いる。
【００７３】
図４は、第２の実施形態に係る基地局装置の再送無線リソース制御に関する動作を示すフローチャートである。先ず、再送要求データを移動局装置より受信する（ステップＬ１）。次に、再送要求データを基に、再送データ信号に初期送信時と異なる位相系列を割り当てる（ステップＬ２）。次に、制御チャネルを用いて移動局装置に無線リソース制御情報を通知する（ステップＬ３）。次に、データチャネルを用いて割り当てた位相系列を用いて生成した再送データ信号を送信する（ステップＬ４）。
【００７４】
以上のように、第２の実施形態によれば、初期送信時に割り当てられた位相系列とは異なる位相系列を選択して再送無線リソース制御情報を生成するので、周波数ダイバーシチ効果が得られ、再送時の誤り率の向上を図ることが可能となる。
【００７５】
（第３の実施形態）
第３の実施形態に係る基地局装置は、再送時には初期送信時と異なる位相系列を移動局装置に割り当て、且つ選択可能な周波数スペクトラムパターンの中で、再送時に形成される周波数スペクトラムが初期送信時と最も離れた位置になるように位相系列を割り当て、再送を行なう。これにより、初期送信時と再送時の周波数スペクトラム間の相関を低くすることができ、周波数ダイバーシチ効果の向上を更に図ることができる。
【００７６】
第３の実施形態に係る基地局装置の送信部の構成は、図１および図２に示す第１の実施形態と同様である。また、第３の実施形態は、ダウンリンクおよびアップリンク双方に適用することが可能である。ここでは、ダウンリンクでの再送を例にとって説明する。
【００７７】
再送無線リソース制御部４は、再送時に形成される周波数スペクトラムが初期送信時と最も離れた位置になるような位相系列を選択し、再送無線リソース制御情報を送信制御部７に出力する。ここで、最も離れた位置を検出するために、再送時の周波数スペクトラムの位置に対する両隣の初期送信時の周波数スペクトラムとの距離の二乗和を検出し、その二乗和が最も小さい位置になるように位相系列を割り当てる。
【００７８】
図５は、第３の実施形態に係る基地局装置の送信信号が形成する周波数スペクトラムの一例を示す図である。図５に示すように、一定周期で形成される周波数スペクトラムを初期送信時と再送時で異なるものにし、且つ周波数スペクトラムの位置の候補の中から最も離れた位置に再送時の周波数スペクトラムを形成することにより、トータルで広く、且つ相関の低い周波数スペクトラムを再送に用いることが可能となる。
【００７９】
図６は、第３の実施形態に係る基地局装置の再送無線リソース制御に関する動作を示すフローチャートである。先ず、再送要求データを移動局装置より受信する（ステップＭ１）。次に、再送要求データを基に、初期送信時の周波数スペクトラムに対して割り当て候補の周波数スペクトラム位置の中から両端の初期送信時の周波数スペクトラムとの距離の二乗和が最も小さい周波数スペクトラム位置を検出する（ステップＭ２）。ここで、検出した周波数スペクトラム位置が複数ないかどうかを判断する（ステップＭ３）。ステップＭ３において、複数なければステップＭ４へ移行し、検出した周波数スペクトラムを形成する位相系列を割り当てる。一方、ステップＭ３において、複数あればステップＭ５へ移行し、検出した周波数スペクトラムの中からランダムに選択して、選択した周波数スペクトラムを形成する位相系列を割り当てる。これは、初期送信時の周波数スペクトラムの間が偶数の場合（ＣＲＦが３以上の奇数）、初期送信時の周波数スペクトラム間の真ん中２つが検出されるため、上記のような処理を行なう必要があるからである。次に、制御チャネルを用いて移動局装置に無線リソース制御情報を通知する（ステップＭ６）。次に、データチャネルを用いて割り当てた位相系列を用いて生成した再送データ信号を送信する（ステップＭ７）。
【００８０】
以上のように、第３の実施形態によれば、初期送信時に割り当てられた位相系列を構成する周波数スペクトラムから最も離れた位置に周波数スペクトラムが形成される位相系列を選択して再送無線リソース制御情報を生成するので、初期送信時と再送時における周波数スペクトラム間の相関を低くすることが可能となり、周波数ダイバーシチ効果をさらに向上させることが可能となる。また、隣接する周波数スペクトラムからの距離の二乗和が最も小さい位置を検出するので、送信制御部によって初期送信時に割り当てられた位相系列を構成する周波数スペクトラムから最も離れた位置を、簡易かつ確実に検出することが可能となる。
【００８１】
（第４の実施形態）
第４の実施形態に係る基地局装置は、再送時には初期送信時と異なる位相系列を移動局装置に割り当てて、更に再送を行なう場合にそれまで用いた位相系列と異なる位相系列を移動局装置に割り当てて、再送を行なう。これにより、複数回再送を行なう場合においても、更に周波数ダイバーシチ効果を得て、再送の誤り率向上を図ることができる。
【００８２】
第４の実施形態に係る基地局装置の送信部の構成は、図１および図２に示す第１の実施形態と同様である。また、第４の実施形態は、ダウンリンクおよびアップリンク双方に適用することが可能である。ここでは、ダウンリンクでの再送を例にとって説明する。
【００８３】
再送無線リソース制御部４は、初期送信時に割り当てられた位相系列とは異なる位相系列を選択し、２回目以上の再送に関してはそれまでに用いた位相系列とは異なる位相系列を選択し、再送無線リソース制御情報を送信制御部７に出力する。
【００８４】
図７は、第４の実施形態に係る基地局装置の送信信号が２回再送を行なう場合に形成する周波数スペクトラムの一例を示す図である。図７に示すように、一定周期で形成される周波数スペクトラムを初期送信時と再送時毎に異なるものにすることにより、トータルで広い周波数スペクトラムを用いることが可能となる。
【００８５】
図８は、第４の実施形態に係る基地局装置の再送無線リソース制御に関する動作を示すフローチャートである。先ず、再送要求データを移動局装置より受信する（ステップＮ１）。次に、再送要求データを基に、再送データ信号に前回送信時と異なる位相系列を割り当てる（ステップＮ２）。ここで、割り当てた位相系列が以前に（初期送信時から前回再送時までに）設定したことがないかどうかを判断し（ステップＮ３）、設定したことがあればステップＮ２へ移行し、再度異なる位相系列の割り当てを行なう。一方、ステップＮ３において、設定したことがなければ、制御チャネルを用いて移動局装置に無線リソース制御情報を通知する（ステップＮ４）。次に、データチャネルを用いて割り当てた位相系列を用いて生成した再送データ信号を送信する（ステップＮ５）。
【００８６】
なお、複数回再送を行った後に、位相系列の割り当てが一巡した場合には、それまで保持していた割り当てた位相系列の記憶をリセットし、再度、最初から位相系列の割り当てを行なう。その際、再送要求データから前回再送時とは異なる位相系列が選択される。
【００８７】
以上のように、第４の実施形態によれば、再送が２回目以上となる場合、初期送信時および前回までの再送時に割り当てられた位相系列とは異なる位相系列を選択して再送無線リソース制御情報を生成するので、複数回再送を行なう場合においても、周波数ダイバーシチ効果を得ることができ、再送時の誤り率の向上を図ることが可能となる。
【００８８】
（第５の実施形態）
第５の実施形態に係る基地局装置は、２回以上再送を行なう基地局装置であって、再送時には以前に割り当てた位相系列とは異なる位相系列を割り当て、且つ選択可能な周波数スペクトラムパターンの中で、前回再送時までに形成された周波数スペクトラムと最も離れた位置になるように位相系列を割り当て、再送を行なう。これにより、送信完了（誤りがなくなった場合、最大再送回数に達した場合）までに形成される周波数スペクトラム間の相関を低くすることができ、周波数ダイバーシチ効果の向上を更に図ることができる。
【００８９】
第５の実施形態に係る基地局装置の送信部の構成は、図１および図２に示す第１の実施形態と同様である。まず、ダウンリンクでの再送について説明する。
【００９０】
再送無線リソース制御部４は、今回再送時に形成される周波数スペクトラムが前回再送時までに形成された周波数スペクトラムと最も離れた位置になるように位相系列を選択し、再送無線リソース制御情報を送信制御部７に出力する。
【００９１】
ここで、最も離れた位置を検出するために、今回再送時の周波数スペクトラム位置に対する両隣の前回再送時までに形成された周波数スペクトラムとの距離の和を検出し、検出した和が最も大きい周波数スペクトラムに対して更に距離の二乗和を検出し、その二乗和が最も小さい位置になるように位相系列を割り当てる。
【００９２】
図９は、第５の実施形態に係る基地局装置の送信信号が形成する周波数スペクトラムの一例を示す図である。ここでは、３回再送時までの周波数スペクトラムを示す。図９に示すように、一定周期で形成される周波数スペクトラムを初期送信時と再送時毎に異なるものにし、且つ再送時毎に前回送信時までに形成した周波数スペクトラムに対して最も離れた位置に周波数スペクトラムを形成することにより、トータルで広く、且つ相関の低い周波数スペクトラムを用いることが可能となる。
【００９３】
図１０は、第５の実施形態に係る基地局装置の再送無線リソース制御に関する動作を示すフローチャートである。先ず、再送要求データを移動局装置より受信する（ステップＯ１）。次に、再送要求データを基に、前回送信時までに形成した周波数スペクトラムに対して割り当て候補の周波数スペクトラム位置の中から両端の前回送信時までの周波数スペクトラムとの距離の和が最も大きい周波数スペクトラム位置を検出する（ステップＯ２）。次に、検出した周波数スペクトラム位置の中から両端の前回送信時までの周波数スペクトラムとの距離の二乗和が最も小さい周波数スペクトラム位置を検出する（ステップＯ３）。ここで、検出した周波数スペクトラム位置が複数ないかどうかを判断する（ステップＯ４）。ステップＯ４において、複数なければステップＯ５へ移行し、検出した周波数スペクトラムを形成する位相系列を割り当てる。
【００９４】
一方、ステップＯ４において、複数あればステップＯ６へ移行し、検出した周波数スペクトラムの中からランダムに選択して、選択した周波数スペクトラムを形成する位相系列を割り当てる。これは、前回送信時までに形成される周波数スペクトラム間が偶数の場合、ステップＯ３の処理においてその周波数スペクトラム間の真ん中２つが検出されるため、上記のような処理を行なう必要があるからである。次に、制御チャネルを用いて移動局装置に無線リソース制御情報を通知する（ステップＯ７）。次に、データチャネルを用いて割り当てた位相系列を用いて生成した再送データ信号を送信する（ステップＯ８）。
【００９５】
次に、アップリンクでの再送について説明する。
【００９６】
図１１は、第５の実施形態に係る基地局装置の再送無線リソース制御に関する動作を示すフローチャートである。先ず、移動局装置から受信したデータに誤りを検出すると（ステップＳ１）、前回送信時までに形成した周波数スペクトラムに対して割り当て候補の周波数スペクトラム位置の中から両端の前回送信時までの周波数スペクトラムとの距離の和が最も大きい周波数スペクトラム位置を検出する（ステップＳ２）。次に、検出した周波数スペクトラム位置の中から両端の前回送信時までの周波数スペクトラムとの距離の二乗和が最も小さい周波数スペクトラム位置を検出する（ステップＳ３）。ここで、検出した周波数スペクトラム位置が複数ないかどうかを判断する（ステップＳ４）。ステップＳ４において、複数なければステップＳ５へ移行し、検出した周波数スペクトラムを形成する位相系列を割り当てる（ステップＳ５）。
【００９７】
一方、ステップＳ４において、複数あればステップＳ６へ移行し、検出した周波数スペクトラムの中からランダムに選択して、選択した周波数スペクトラムを形成する位相系列を割り当てる（ステップＳ６）。これは、前回送信時までに形成される周波数スペクトラム間が偶数の場合、ステップＳ３の処理においてその周波数スペクトラム間の真ん中２つが検出されるため、上記のような処理を行なう必要があるからである。次に、制御チャネルを用いて移動局装置に無線リソース制御情報を通知する（ステップＳ７）。
【００９８】
以上のように、第５の実施形態によれば、再送が２回目以上となる場合、周波数軸上で、送信制御部によって初期送信時および前回までの再送時に割り当てられた位相系列を構成する周波数スペクトラムから最も離れた位置に周波数スペクトラムが形成される位相系列を選択して再送無線リソース制御情報を生成するので、送信完了となったとき、すなわち、誤りがなくなったとき、または最大再送回数に到達したときまでに形成される周波数スペクトラム間の相関を低くすることができ、周波数ダイバーシチ効果を更に向上させることが可能となる。また、初期送信時および前回までの再送時に割り当てられた位相系列を構成する周波数スペクトラムからの距離の和が最も大きい位置を特定し、その特定した位置からの距離の二乗和が最も小さい位置を検出するので、送信制御部によって初期送信時および前回までの再送時に割り当てられた位相系列を構成する周波数スペクトラムから最も離れた位置を、簡易かつ確実に検出することが可能となる。
【００９９】
（第６の実施形態）
第６の実施形態に係る基地局装置は、再送時に変調多値数または／および符号化率を下げて、繰り返し回数を小さくし、チップ長を大きくして、再送を行なう。これにより、用いる周波数スペクトラムを拡張して、伝送速度を維持しつつ、誤り率を改善し、データの通信完了時間を短縮して良好な通信を図ることができる。
【０１００】
第６の実施形態に係る基地局装置の送信部の構成は、図１および図２に示す第１の実施形態と同様である。まず、ダウンリンクでの再送について説明する。
【０１０１】
再送無線リソース制御部４は、再送時に初期送信時に用いた変調多値数または／および符号化率、繰り返し回数を小さい値、チップ長を大きい値に選択し、再送無線リソース制御情報を送信制御部７に出力する。
【０１０２】
ここで、繰り返し回数およびチップ長の変更に伴い、位相系列を初期送信時と異なるものにしてもよい。また、再送毎に変調多値数または／および符号化率、繰り返し回数、チップ長を変更する制御でも、複数回の再送毎に変調多値数または／および符号化率、繰り返し回数、チップ長を変更する制御を用いてよい。
【０１０３】
図１２は、第６の実施形態に係る基地局装置の送信信号が形成する周波数スペクトラムの一例を示す図である。なお、ここでは再送毎に変調多値数、繰り返し回数、チップ長を変更し、符号化率は一定のままであり、３回再送時までの周波数スペクトラムを示す。図１２に示すように、再送毎に用いる周波数スペクトラム数を増やしつつ、変調方式を下げていく。具体的には、第１回再送時には初期送信時と比較して用いる周波数スペクトラム数を２倍に増やし、変調多値数を１６ＱＡＭから１／２倍の伝送速度となるＱＰＳＫを割り当てることにより、２倍×１／２倍＝１倍からわかるように初期送信時と第１回再送時のトータルの伝送速度を等しいものにしつつ、データ信号を再送する。更に、第２回再送時には第１回再送時と比較して用いる周波数スペクトラム数を２倍に増やし、変調多値数をＱＰＳＫから１／２倍の伝送速度となるＢＰＳＫを割り当てる。
【０１０４】
図１３は、第６の実施形態に係る基地局装置の再送無線リソース制御に関する動作を示すフローチャートである。先ず、再送要求データを移動局装置より受信する（ステップＰ１）。次に、再送要求データを基に、前回送信時に割り当てた無線リソースに対して、変調多値数または／および符号化率を下げて、繰り返し回数を小さくし、チップ長を大きくしたものを次回再送時の無線リソースに割り当てる（ステップＰ２）。次に、制御チャネルを用いて移動局装置に無線リソース制御情報を通知する（ステップＰ３）。次に、データチャネルを用いて設定した無線リソースを用いて生成した再送データ信号を送信する（ステップＰ４）。
【０１０５】
なお、上記では初期送信と再送、再送間で伝送速度を等しくする場合について説明したが、受信側での再送処理を変更して送信側で異なる伝送速度で再送データを送信する構成にすることもできる。
【０１０６】
図１４は、第６の実施形態におけるアップリンクでの再送を示すフローチャートである。先ず、移動局装置から受信したデータに誤りを検出すると（ステップＦ１）、再送要求データを基に、前回送信時に割り当てた無線リソースに対して、変調多値数または／および符号化率を下げて、繰り返し回数を小さくし、チップ長を大きくしたものを次回再送時の無線リソースに割り当てる（ステップＦ２）。次に、制御チャネルを用いて移動局装置に無線リソース制御情報を通知する（ステップＦ３）。
【０１０７】
以上のように、第６の実施形態によれば、再送時に、初期送信時に使用された変調多値数、符号化率、および繰り返し回数よりも小さい値の変調多値数、符号化率、および繰り返し回数を選択すると共に、初期送信時に使用されたチップ長よりも大きい値のチップ長を選択して再送無線リソース制御情報を生成するので、使用する周波数スペクトラムを拡張し、伝送速度を維持しつつ、誤り率を改善し、データの通信完了時間を短縮して良好な通信を実現することが可能となる。
【０１０８】
（第７の実施形態）
第７の実施形態に係る基地局装置は、第６の実施形態に係る基地局装置に対して更に再送時に受信状況が劣化すると判断した場合に、変調多値数または／および符号化率を下げて、繰り返し回数を小さくし、チップ長を大きくして、再送を行なう。これにより、周波数スペクトラムの拡張を適切に制御して、余分なスループットの低下の低減を図ることができる。
【０１０９】
第７の実施形態に係る基地局装置の送信部の構成は、図１および図２に示す第１の実施形態と同様である。また、第７の実施形態は、再送時に受信状況が劣化すると判断した場合に変調多値数などを変えるものであり、ダウンリンクおよびアップリンク双方に適用することが可能である。ダウンリンクでは、移動局装置から得た受信状況の通知に基づいて制御を行なう一方、アップリンクでは、基地局装置における受信状況の検出に基づいて制御を行なう。まず、ダウンリンクでの再送を例にとって説明する。
【０１１０】
再送無線リソース制御部４は、移動局装置より通知された受信状況情報から次回再送時では受信状況が劣化すると判断した場合に、前回送信時に用いた変調多値数または／および符号化率、繰り返し回数を小さい値、チップ長を大きい値に選択し、再送無線リソース制御情報を送信制御部７に出力する。なお、次回再送時の受信状況が劣化すると判断しなかった場合は、前回送信時と同様の無線リソースを選択するか、位相系列のみを変更した無線リソースを選択する。
【０１１１】
第７の実施形態に係る基地局装置の送信信号が形成する周波数スペクトラムは、第６の実施形態と同様である。
【０１１２】
図１５は、第７の実施形態に係る基地局装置の再送無線リソース制御に関する動作を示すフローチャートである。上記のように、ダウンリンクでは、移動局装置から得た受信状況の通知に基づいて制御を行なう。先ず、再送要求データと受信状況情報を移動局装置より受信する（ステップＱ１）。ここで、受信状況情報を基に再送時に受信状況が劣化するかどうかを判断する（ステップＱ２）。ステップＱ２において、劣化すると判断した場合、ステップＱ３へ移行し、変調多値数または／および符号化率を下げて、繰り返し回数を小さくし、チップ長を大きくしたものを次回再送時の無線リソースに割り当てる。一方、ステップＱ２において、劣化しないと判断した場合、ステップＱ４へ移行し、無線リソースを変更しない、または位相系列のみを変更したものを次回再送時の無線リソースに割り当てる。次に、制御チャネルを用いて移動局装置に無線リソース制御情報を通知する（ステップＱ５）。次に、データチャネルを用いて設定した無線リソースを用いて生成した再送データ信号を送信する（ステップＱ６）。
【０１１３】
次に、アップリンクでの再送について説明する。
【０１１４】
図１６は、第７の実施形態の基地局装置の概略構成を示すブロック図である。図２に示す基地局装置の構成に比較して、受信状況測定部２５を更に備えている。復調部２０は、受信状況を測定するためのデータ信号の一部を受信状況測定部２５に出力する。例えば、受信状況の測定は、伝搬路補償のためのパイロット信号から測定することができ、復調部２０は受信したパイロット信号を受信状況測定部２５に出力する。受信状況測定部２５は、復調部２０から入力された信号に基づいて受信状況の測定を行なう。そして、受信状況測定部２５は、測定結果を再送無線リソース制御部４に出力する。
【０１１５】
再送無線リソース制御部４は、受信状況測定部２５に測定された受信状況情報から次回再送時では受信状況が劣化すると判断した場合に、前回送信時に用いた変調多値数または／および符号化率、繰り返し回数を小さい値、チップ長を大きい値に選択し、再送無線リソース制御情報を送信部２に出力する。なお、次回再送時の受信状況が劣化すると判断しなかった場合は、前回送信時と同様の無線リソースを選択するか、位相系列のみを変更した無線リソースを選択する。
【０１１６】
図１７は、第７の実施形態におけるアップリンクでの再送を示すフローチャートである。まず、基地局装置は、移動局装置からデータを受信し、その受信したデータに基づいて誤りを検出すると共に、受信状況を推定する（ステップＴ１）。次に、推定された受信状況が劣化するとされたかどうかを判断し（ステップＴ２）、劣化する場合は、変調多値数または／および符号化率を下げて、繰り返し回数を小さくし、チップ長を大きくする（ステップＴ３）。一方、ステップＴ２において、受信状況が劣化しない場合は、何も変更しないか、または位相系列のみ異なるものにする（ステップＴ４）。そして、無線リソース制御情報を移動局装置に対して通知する（ステップＴ５）。
【０１１７】
以上のように、第７の実施形態によれば、再送時の受信状況が劣化すると推定された場合、初期送信時に使用された変調多値数、符号化率、および繰り返し回数よりも小さい値の変調多値数、符号化率、および繰り返し回数を選択すると共に、初期送信時に使用されたチップ長よりも大きい値のチップ長を選択して再送無線リソース制御情報を生成するので、周波数スペクトラムの拡張を適切に制御し、スループットの低下を回避することが可能となる。なお、再送時の受信状況を推定するためには、ダウンリンクでの再送の場合は、移動局装置が備える受信状況測定部で受信状況を測定し、測定結果を基地局装置へ送信する。また、アップリンクでの再送の場合は、基地局装置が備える受信状況測定部で受信状況を測定する。
【０１１８】
（第８の実施形態）
第８の実施形態に係る基地局装置は、再送を行なう移動局装置に対して優先的に位相系列を割り当て、その後通常送信を行なう移動局装置に対して位相系列の割り当てを行なう。これにより、再送を行なう移動局装置に対して所望の位相系列を割り当てやすくすることができる。
【０１１９】
第８の実施形態に係る基地局装置の送信部の構成は、図１および図２に示す第１の実施形態と同様である。また、第８の実施形態は、ダウンリンクおよびアップリンク双方に適用することが可能である。ここでは、ダウンリンクでの再送を例にとって説明する。
【０１２０】
送信制御部７は、再送を行なう移動局装置に対して優先的に位相系列を割り当て、再送を行なう移動局装置に対しては再送パラメータに関する制御情報を各ブロックに出力し、通常送信を行なう移動局装置に対しては通常の送信パラメータに関する制御情報を各ブロックに出力する。
【０１２１】
図１８は、第８の実施形態に係る基地局装置の通常送信と再送を含めた無線リソース割り当て制御に関する動作を示すフローチャートである。先ず、再送データに位相系列を割り当てる（ステップＲ１）。ここで、全ての再送データに位相系列を割り当て終わったかどうかを判断し（ステップＲ２）、全ての再送データに位相系列を割り当て終わっていない場合は、ステップＲ１へ移行する。一方、全ての再送データに位相系列を割り当て終わった場合は、通常送信データに位相系列を割り当てる（ステップＲ３）。ここで、全ての通常送信データに位相系列を割り当て終わったかどうかを判断し（ステップＲ４）、全ての通常送信データに位相系列を割り当て終わっていない場合は、ステップＲ３へ移行する。一方、全ての通常送信データに位相系列を割り当て終わった場合は、処理を終了する。
【０１２２】
以上のように、第８の実施形態によれば、再送が必要となった通信相手に対して優先的に位相系列を割り当てて、その後、通常の送信を行なう通信相手に対して位相系列を割り当てるので、再送が必要となった通信相手に対して所望の位相系列を割り当てやすくすることができる。
【０１２３】
（第９の実施形態）
第９の実施形態に係る移動局装置は、前記第１〜８の実施形態に係る基地局装置において再送に係る情報を通知する。これにより、前記第１〜８の実施形態に係る基地局装置は本発明の再送制御を行なうことができる。
【０１２４】
図１９は、第９の実施形態に係る移動局装置の概略構成を示すブロック図であり、ダウンリンクでの再送を行なう場合に使用するブロックを表わした図である。移動局装置１７０は、受信部１７１と送信部１７２とから構成されている。受信部１７１において、受信制御部１７３は、受信部１７１の各ブロックのパラメータを制御しており、各ブロックに設定したパラメータ、言い換えれば送信部１７２で用いたパラメータに関する制御情報を出力している。ここで、各ブロックのパラメータに関する無線リソース制御情報は基地局装置より制御チャネルを用いてデータ信号の受信より前もって通知される。
【０１２５】
異なる位相系列を用いて再送が行われた場合、その位相系列情報が無線リソース制御情報に含まれて基地局装置より前もって通知され、受信制御部１７３は、再送された信号に適した受信処理を行なうために、位相乗算部１７５に基地局装置から通知された、それまでとは変更されたパラメータを出力する。更に、異なる変調多値数または／および符号化率、繰り返し回数、チップ長を用いて再送が行われた場合、それらの情報が無線リソース制御情報に含まれて基地局装置より前もって通知され、受信制御部１７３は、各ブロックに基地局装置から通知された、それまでとは変更されたパラメータを出力する。
【０１２６】
無線部１７４は、送受信アンテナ１６９を介してデータ信号の受信を行ない、アナログ無線信号をデジタルベースバンド信号に変換する。位相乗算部１７５は、受信制御部１７３から入力された位相系列でデジタルベースバンド信号に対して位相系列の乗算を行ない、送信部１７２において乗算されたデータ信号の位相を再び元の位相に戻す。チップ繰り返し合成部１７６は、受信制御部１７３から入力された繰り返し回数とチップ長で位相乗算部から入力されたチップ繰り返しが施されたデータ信号に対して再合成を行なう。逆拡散部１７７は、受信制御部１７３から入力された拡散符号でチップ繰り返し合成されたデータ信号に対して乗算を行ない、逆拡散を行なう。復調部１７８は、受信制御部１７３から入力された変調方式で逆拡散データ信号に対して復調を行なう。また、再送が行われる場合に、誤ったデータ信号と再送信号の合成を行なうために、復調部１７８は復調したデータ信号をパケット合成部１７９に出力する。
【０１２７】
なお、Ｃｈａｓｅ  ｃｏｍｂｉｎｉｎｇ法では、デマッピング前のシンボル系列で合成を行なう方法とデマッピング後のビット系列で合成を行なう方法があるため、用いる方法に応じて復調したデータ信号をパケット合成部１７９に出力する。Ｉｎｃｒｅｍｅｎｔａｌ  Ｒｅｄｕｎｄａｎｃｙ法では、デマッピング後のビット系列をパケット合成部１７９に出力する。
【０１２８】
チャネル復号部１８０は、受信制御部１７３から入力された符号化率で復調データ信号に対してチャネル復号を行なう。パケット合成方法としてＩｎｃｒｅｍｅｎｔａｌ  Ｒｅｄａｎｄｕｎｃｙ法を用いた場合や、符号化率を変更して再送データ信号が再送された場合には、誤ったデータ信号とは異なるパラメータがチャネル復号部１８０に入力され、そのパラメータに応じたチャネル復号を行なう。誤り検出部１８１は、チャネル復号部から入力された２値のデータ信号に対して誤りの検出を行ない、その結果をパケット合成部１７９および送信部１７２に出力する。ここで、誤りが検出されなかった場合は、２値のデータ信号を上位レイヤに送り、誤りが検出された場合はチャネル復号化された２値のデータ信号は廃棄する。なお、再送回数の上限に達した場合には、誤りが検出された場合でも２値のデータ信号を上位レイヤに送る。
【０１２９】
パケット合成部１７９は、復調部１７８から入力されたデータ信号を一時格納し、再送データ信号と合成を行った後、合成したデータ信号をチャネル復号部１８０に出力する。Ｃｈａｓｅ  ｃｏｍｂｉｎｉｎｇ法では、パケット合成部１７９は推定した伝搬路変動値の係数を用いてデータ信号を重み付け合成（最大比合成）し、シンボル系列で合成を行った場合はデマッピングをしてビット系列に変換した後にチャネル復号部１８０に出力し、ビット系列で合成を行った場合は重み付けしたデータ信号をそのままチャネル復号部１８０に出力する。Ｉｎｃｒｅｍｅｎｔａｌ  Ｒｅｄｕｎｄａｎｃｙ法では、パケット合成部１７９は一時格納した誤ったデータ信号と再送データ信号を併せて並び替えを行なって調整したデータ信号をチャネル復号部１８０に出力する。
【０１３０】
ここで、パケット合成部１７９は、誤り検出部１８１から誤りが検出されなかったことを通知された場合、該当する一時格納したデータ信号を廃棄する。
【０１３１】
送信部１７２は、誤り検出部１８１から、誤りが検出されたことを通知された場合、誤りが検出されたデータ信号の受信処理に用いた変調方式、符号化率、チップパターン、繰り返し回数、位相系列と再送要求情報（ＮＡＣＫ）からなる再送要求データを生成し、基地局装置に送信する。また、送信部１７２は、誤り検出部１８１から、誤りが検出されなかったことを通知された場合、受信完了情報（ＡＣＫ）を基地局装置に送信する。
【０１３２】
また、第９の実施の形態では基本的に、基地局装置において、変調多値数または／および符号化率を下げて、繰り返し回数を小さくし、チップ長を大きくして、再送データ信号を送信する場合、誤ったデータ信号は廃棄して、パケット合成部１７９で再送データ信号は合成せずに単独で受信処理を行なう。
【０１３３】
更に詳しくは、伝送速度を大幅に変更したり、符号化率を変えたりした場合には再送方法としてＡＲＱ法を用いる。しかしながら、誤ったデータ信号と再送データ信号の合成を行なうパケット合成は、前記第６、７の実施形態において、誤ったデータ信号と同一の伝送速度で再送を行なう場合に適用し、Ｃｈａｓｅ  ｃｏｍｂｉｎｉｎｇ法の一部やＩｎｃｒｅｍｅｎｔａｌ  Ｒｅｄｕｎｄａｎｃｙ法を用いる構成としてもよい。また、この場合、再送データ信号には異なる変調方式を用いるので１パケットのシンボル数が異なり、シンボル系列での合成が行えないため、Ｃｈａｓｅ  ｃｏｍｂｉｎｉｎｇ法はデマッピング後の数が等しいビット系列での重み付け合成を行なう。例えば、誤ったデータ信号の変調方式がＱＰＳＫの場合、再送データ信号の変調方式をＱＰＳＫの１／２の変調速度であるＢＰＳＫにして、更に用いる周波数スペクトルを２倍にすると、シンボル数は再送データ信号が誤ったデータ信号の２倍となるが、デマッピング後のビット数は等しくなる。
【０１３４】
なお、この方法はシンボル長が一定のシステムで用いることを想定している。Ｉｎｃｒｅｍｅｎｔａｌ  Ｒｅｄｕｎｄａｎｃｙ法においても、伝送速度が等しく、符号化率を変えない場合に適用でき、誤ったデータ信号と再送データ信号を併せて並び替えを行なって調整したデータ信号をチャネル復号部１８０に出力する。また、変調多値数を下げて、繰り返し回数を小さくし、チップ長を大きくして、誤ったデータ信号の再送データ信号を生成する際に、伝送速度が全く同じではなく若干の余裕がある場合には、ビット系列での重み付け合成を行なうために、ゼロパディングなどの冗長データを挿入することにより伝送速度の整合をとり、再送を行なう構成にすることもできる。例えば、誤ったデータ信号の変調方式がＱＰＳＫの場合、再送データ信号の変調方式をＱＰＳＫの１／２の変調速度であるＢＰＳＫにして、更に用いる周波数スペクトルを２．２倍にすると、再送データ信号では誤ったデータ信号に比べて１／２×２．２＝１．１倍の情報データを送信できる。ここで、データ量が異なることに起因する、パケット合成を行なう受信部の複雑さを軽減するため、余剰の０．１倍部分には冗長データを挿入して、データ量の整合をとる。
【０１３５】
更に、前記第７の実施形態の基地局装置と通信を行なう場合、移動局装置は受信状況情報を基地局装置に通知する必要がある。その場合の移動局装置の構成を図２０に示す。
【０１３６】
図２０は、第７の実施形態の基地局装置と通信を行なう移動局装置の概略構成を示すブロック図である。図１９に示す移動局装置の構成に比較して、受信状況測定部１８５を更に備えている。復調部１７８は、受信状況を測定するためのデータ信号の一部を受信状況測定部１８５に出力する。例えば、受信状況の測定は、伝搬路補償のためのパイロット信号から測定することができ、復調部１７８は受信したパイロット信号を受信状況測定部１８５に出力する。
【０１３７】
受信状況測定部１８５は、復調部１７８から入力された信号に基づいて受信状況の測定を行なう。ここで、受信状況測定部１８５は、測定結果、または基地局装置において受信状況が劣化するかどうかを判断するための指標を送信部１７２に出力する。送信部１７２は、誤り検出部１８１において誤りが検出された場合、再送要求データと共に受信状況測定部１８５の結果を基地局装置に送信する。
【０１３８】
図２１は、第９の実施形態に係る移動局装置の概略構成を示すブロック図であり、アップリンクでの再送を行なう場合に使用するブロックを表わした図である。アップリンクの場合、移動局装置は、受信状況の測定など再送に係る全ての処理は基地局装置で行われ、その結果が移動局装置に通知されるので、移動局装置は通知された情報に従って送信する。
【０１３９】
図２１において、送信制御部１９０は、送信部１７２の各ブロックのパラメータを制御しており、各ブロックに設定したパラメータに関する制御情報を出力している。チャネル符号化部１９１は、送信制御部１９０から入力された符号化率で上位レイヤから送られてきたデータ信号に対してチャネル符号化を行なう。変調部１９２は、送信制御部１９０から入力された変調方式でチャネル符号化データ信号に対して変調を行なう。拡散部１９３は、送信制御部１９０から入力された拡散符号で変調データ信号に対して乗算を行ない、拡散を行なう。
【０１４０】
チップ繰り返し部１９４は、送信制御部１９０から入力されたチップ長（Ｑチップ）で拡散データ信号に対して並び替えを行ない、同様に送信制御部１９０から入力された繰り返し回数（ＣＲＦ回数）でＱチップを周期として繰り返しを行なう。位相乗算部１９５は、送信制御部１９０から入力された位相系列でチップ繰り返しデータ信号に対して位相系列の乗算を行なう。無線部１９６は、位相乗算部１９５から入力されたデータ信号を無線信号に変換して、送受信アンテナ１６９を介してデータ信号の送信を行なう。
【０１４１】
以上のように、第９の実施形態によれば、再送要求データを上記のいずれかに記載の基地局装置へ送信するので、再送要求データを受信した基地局装置は、上記の再送制御を行なうことが可能となる。また、再送要求データおよび受信状況推定部により推定された再送時の受信状況を上記の基地局装置へ送信するので、再送要求データおよび上記推定された再送時の受信状況を受信した基地局装置は、上記の再送制御を行なうことが可能となる。
【図面の簡単な説明】
【０１４２】
【図１】第１の実施形態に係る基地局装置の概略構成を示すブロック図である。
【図２】第１の実施形態に係る基地局装置の概略構成を示すブロック図である。
【図３】第２の実施形態に係る基地局装置の送信信号が形成する周波数スペクトラムの一例を示す図である。
【図４】第２の実施形態に係る基地局装置の再送無線リソース制御に関する動作を示すフローチャートである。
【図５】第３の実施形態に係る基地局装置の送信信号が形成する周波数スペクトラムの一例を示す図である。
【図６】第３の実施形態に係る基地局装置の再送無線リソース制御に関する動作を示すフローチャートである。
【図７】第４の実施形態に係る基地局装置の送信信号が２回再送を行なう場合に形成する周波数スペクトラムの一例を示す図である。
【図８】第４の実施形態に係る基地局装置の再送無線リソース制御に関する動作を示すフローチャートである。
【図９】第５の実施形態に係る基地局装置の送信信号が形成する周波数スペクトラムの一例を示す図である。
【図１０】第５の実施形態に係る基地局装置の再送無線リソース制御に関する動作を示すフローチャートである。
【図１１】第５の実施形態に係る基地局装置の再送無線リソース制御に関する動作を示すフローチャートである。
【図１２】第６の実施形態に係る基地局装置の送信信号が形成する周波数スペクトラムの一例を示す図である。
【図１３】第６の実施形態に係る基地局装置の再送無線リソース制御に関する動作を示すフローチャートである。
【図１４】第６の実施形態におけるアップリンクでの再送を示すフローチャートである。
【図１５】第７の実施形態に係る基地局装置の再送無線リソース制御に関する動作を示すフローチャートである。
【図１６】第７の実施形態の基地局装置の概略構成を示すブロック図である。
【図１７】第７の実施形態におけるアップリンクでの再送を示すフローチャートである。
【図１８】第８の実施形態に係る基地局装置の通常送信と再送を含めた無線リソース割り当て制御に関する動作を示すフローチャートである。
【図１９】第９の実施形態に係る移動局装置の概略構成を示すブロック図である。
【図２０】第７の実施形態の基地局装置と通信を行なう移動局装置の概略構成を示すブロック図である。
【図２１】第９の実施形態に係る移動局装置の概略構成を示すブロック図である。
【図２２】無線通信システムＡの送信部の概略構成を示すブロック図である。
【図２３】無線通信システムＡの主要動作を示す図である。
【図２４】送信信号が形成する周波数スペクトラムの一例を示す図である。
【図２５】（Ｑ×ＣＲＦ）を一定に保ちつつ、ＱとＣＲＦの配分を変更した場合の周波数スペクトラムの変化を示す図である。
【図２６】無線通信システムＡの受信部の概略構成を示すブロック図である。
【符号の説明】
【０１４３】
１  基地局装置
２  送信部
３  受信部
４  再送無線リソース制御部
７  送信制御部
２１  パケット合成部
２３  誤り検出部
２５  受信状況測定部
１７０  移動局装置
１７１  受信部
１７２  送信部
１７３  受信制御部
１７９  パケット合成部
１８１  誤り検出部
１８５  受信状況測定部
【図１】
0004537296.tif 000002
【図２】
0004537296.tif 000003
【図３】
0004537296.tif 000004
【図４】
0004537296.tif 000005
【図５】
0004537296.tif 000006
【図６】
0004537296.tif 000007
【図７】
0004537296.tif 000008
【図８】
0004537296.tif 000009
【図９】
0004537296.tif 000010
【図１０】
0004537296.tif 000011
【図１１】
0004537296.tif 000012
【図１２】
0004537296.tif 000013
【図１３】
0004537296.tif 000014
【図１４】
0004537296.tif 000015
【図１５】
0004537296.tif 000016
【図１６】
0004537296.tif 000017
【図１７】
0004537296.tif 000018
【図１８】
0004537296.tif 000019
【図１９】
0004537296.tif 000020
【図２０】
0004537296.tif 000021
【図２１】
0004537296.tif 000022
【図２２】
0004537296.tif 000023
【図２３】
0004537296.tif 000024
【図２４】
0004537296.tif 000025
【図２５】
0004537296.tif 000026
【図２６】
0004537296.tif 000027